(57)【要約】【課題】ショートメッセージサービス能力がある通信デバイスのための装置および関連する方法を提供すること。【解決手段】ショートメッセージサービス能力がある通信デバイスのための装置であって、該装置は、少なくともショートメッセージサービスセンタを含むネットワークエンティティを有するネットワークを介してメッセージの通信を促進し、該装置は、該ネットワークエンティティのうちの選択されたネットワークエンティティを識別する識別子を格納するように構成された格納エレメントと、セッションインターフェースプロトコル（ＳＩＰ）リクエストジェネレータとを備え、該ＳＩＰリクエストジェネレータは、該識別子をもって対処されたＳＩＰリクエストを生成するように構成されている、装置。【選択図】図３
2011045090.tif 000002
【特許請求の範囲】
【請求項１】
少なくともショートメッセージサービスセンタを含む複数のネットワークエンティティを有するネットワークを介してメッセージの通信を促進するための装置であって、
該装置は、
該複数のネットワークエンティティのうちの選択されたネットワークエンティティを識別する識別子を有する格納エレメントを提供するように構成されたデバイス管理プロビジョナであって、該識別子は、網間接続装置を識別するか、または、該ショートメッセージサービスセンタを識別する、デバイス管理プロビジョナと、
該格納エレメントに格納された該識別子へのアクセスをセッション開始プロトコルリクエストジェネレータに提供するように構成されたプロバイダであって、該セッション開始プロトコルリクエストジェネレータは、該格納エレメントに格納された該識別子へのアクセスを提供されるように構成されている、プロバイダと
を含み、
該アクセスは、該識別子を用いてアドレス指定されたＳＩＰリクエストを生成することを可能にし、該ＳＩＰリクエストは、その中にカプセル化されたショートメッセージサービスコンテンツを有し、該ＳＩＰリクエストは、一旦アドレス指定されると、該ショートメッセージサービスコンテンツを該ショートメッセージサービスセンタにルーティングすることを可能にし、
該識別子は、
セッション開始プロトコルユニフォームリソース識別子（ＳＩＰ  ＵＲＩ）と、
電話ユニフォームリソース識別子（ＴＥＬ  ＵＲＩ）と、
電話ユニフォームリソースロケータ（ＴＥＬ  ＵＲＬ）と
のうちの１つを含む、装置。
【請求項２】
前記格納エレメントは、加入者識別モジュール（ＳＩＭ）カードおよび汎用集積回路カード（ＵＩＣＣ）のうちの１つに含まれる、請求項１に記載の装置。
【請求項３】
前記デバイス管理プロビジョナは、少なくとも前記識別子を含むショートメッセージを受信する、請求項１に記載の装置。
【請求項４】
前記デバイス管理プロビジョナは、同期マークアップ言語（Ｓｙｎｃｈ  ＭＬ）メッセージ検出器を含み、該Ｓｙｎｃｈ  ＭＬメッセージ検出器は、前記識別子を含むＳｙｎｃｈ  ＭＬメッセージを検出し、該Ｓｙｎｃｈ  ＭＬメッセージに含まれる該識別子を用いて前記格納エレメントを提供するように構成されている、請求項１に記載の装置。
【請求項５】
前記デバイス管理プロビジョナは、前記識別子を含む構成ファイルを受信し、該構成ファイルに含まれる識別子を用いて前記格納エレメントを提供するように構成されている、請求項１に記載の装置。
【請求項６】
前記デバイス管理プロビジョナが受信するように構成された前記構成ファイルは、ＳＩＰを用いて該デバイス管理プロビジョナにダウンロードされる、請求項５に記載の装置。
【請求項７】
前記プロビジョナが前記識別子を用いて提供する前記格納エレメントは、管理オブジェクトを含む、請求項１に記載の装置。
【請求項８】
前記デバイス管理プロビジョナが受信するように構成された前記識別子は、ＯＴＡ（Ｏｖｅｒ  Ｔｈｅ  Ａｉｒ）配信メカニズムを用いて、該デバイス管理プロビジョナにダウンロードされる、請求項１に記載の装置。
【請求項９】
ショートメッセージ能力がある通信デバイスにおいて、前記通信デバイスで発信されたメッセージの通信を促進するための方法であって、該方法は、
該通信デバイスにおいて識別子を有する格納エレメントを提供することであって、該識別子は、選択されたネットワークエンティティを識別し、該識別子は、網間接続装置を識別するか、または、ショートメッセージサービスセンタを識別する、ことと、
該格納エレメントに提供された該識別子へのアクセスをセッション開始プロトコルリクエストジェネレータに提供すること
を含み、
該アクセスは、該格納エレメントに提供された該格納された識別子を用いてアドレス指定されたＳＩＰリクエストを生成することを可能にし、
該ＳＩＰリクエストは、その中にカプセル化されたショートメッセージサービスコンテンツを有し、該ＳＩＰリクエストは、一旦アドレス指定されると、該ショートメッセージサービスコンテンツを該ショートメッセージサービスセンタにルーティングすることを可能にし、
該識別子は、
セッション開始プロトコルユニフォームリソース識別子（ＳＩＰ  ＵＲＩ）と、
電話ユニフォームリソース識別子（ＴＥＬ  ＵＲＩ）と、
電話ユニフォームリソースロケータ（ＴＥＬ  ＵＲＬ）と
のうちの１つを含む、方法。
【請求項１０】
前記提供することは、加入者識別モジュール（ＳＩＭ）カードおよび汎用集積回路カード（ＵＩＣＣ）のうちの１つに含まれる格納エレメントを提供することを含む、請求項９に記載の方法。
【請求項１１】
前記提供することは、少なくとも前記識別子を含むショートメッセージを受信することをさらに含む、請求項９に記載の方法。
【請求項１２】
前記提供することは、前記識別子を含む同期マークアップ言語（Ｓｙｎｃｈ  ＭＬ）メッセージを検出し、該Ｓｙｎｃｈ  ＭＬメッセージに含まれる該識別子を用いて前記格納エレメントを提供することをさらに含む、請求項９に記載の方法。
【請求項１３】
前記提供することは、前記識別子を含む構成ファイルを受信し、該構成ファイルに含まれる識別子を用いて前記格納エレメントを提供することをさらに含む、請求項９に記載の方法。
【請求項１４】
前記受信することの間に受信される前記構成ファイルは、ＳＩＰを用いてダウンロードされる、請求項１３に記載の方法。
【請求項１５】
前記提供することの間に提供される前記格納エレメントは、管理オブジェクトを含む、請求項９に記載の方法。
【請求項１６】
前記デバイス管理プロビジョナが受信するように構成された前記識別子は、ＯＴＡ（Ｏｖｅｒ  Ｔｈｅ  Ａｉｒ）配信メカニズムを用いて、該デバイス管理プロビジョナにダウンロードされる、請求項９に記載の方法。
【請求項１７】
ショートメッセージサービス能力がある通信デバイスのための装置であって、該装置は、ショートメッセージサービスセンタが、通信接続するように位置決めされるアクセス独立性ネットワークを介してショートメッセージサービスメッセージを該ショートメッセージサービスセンタに送ることを可能とし、
該装置は、
その中にカプセル化されたショートメッセージサービスコンテンツを有するＳＩＰリクエストを生成することと、該アクセス独立性ネットワークを介して該ショートメッセージサービスセンタにルーティングをすることが可能である該ＳＩＰリクエストを通信することとを行うように構成されたＳＩＰリクエストジェネレータを含み、
該ＳＩＰリクエストは、識別子を有し、該識別子は、網間接続装置を識別するか、または、該ショートメッセージサービスセンタを識別し、
該識別子は、
セッション開始プロトコルユニフォームリソース識別子（ＳＩＰ  ＵＲＩ）と、
電話ユニフォームリソース識別子（ＴＥＬ  ＵＲＩ）と、
電話ユニフォームリソースロケータ（ＴＥＬ  ＵＲＬ）と
のうちの１つを含み、
該識別子は、
加入者識別モジュール（ＳＩＭ）カードと、
汎用集積回路カード（ＵＩＣＣ）と
のうちの１つから受信される、装置。
【請求項１８】
ショートメッセージサービス能力がある通信デバイスのための装置であって、該装置は、ショートメッセージサービスセンタが、通信接続するように位置決めされるアクセス独立性ネットワークを介してショートメッセージサービスメッセージを該ショートメッセージサービスセンタに送ることを可能とし、
該装置は、
その中にカプセル化されたショートメッセージサービスコンテンツを有するＳＩＰリクエストを生成することと、該アクセス独立性ネットワークを介して該ショートメッセージサービスセンタにルーティングをすることが可能である該ＳＩＰリクエストを通信することとを行うように構成されたＳＩＰリクエストジェネレータを含み、
該ＳＩＰリクエストは、識別子を有し、該識別子は、網間接続装置を識別するか、または、該ショートメッセージサービスセンタを識別し、
該識別子は、
セッション開始プロトコルユニフォームリソース識別子（ＳＩＰ  ＵＲＩ）と、
電話ユニフォームリソース識別子（ＴＥＬ  ＵＲＩ）と、
電話ユニフォームリソースロケータ（ＴＥＬ  ＵＲＬ）と
のうちの１つを含み、
該格納された識別子は、
Ｓｙｎｃｈ  ＭＬメッセージと、
構成ファイルと、
該ＳＩＰメッセージ管理オブジェクトと、
ＯＴＡ（Ｏｖｅｒ  Ｔｈｅ  Ａｉｒ）配信メカニズムと
のうちの１つを用いて提供される、装置。
【請求項１９】
前記ＳＩＰリクエストは、ＳＩＰメッセージ方法を含む前記ＳＩＰリクエストジェネレータによって生成される、請求項１７または１８に記載の装置。
【請求項２０】
前記ショートメッセージコンテンツは、ショートメッセージ方法においてカプセル化される、請求項１７または１８に記載の装置。
【発明の詳細な説明】
【技術分野】
【０００１】
本発明は、一般に、通信ネットワークを介してＳＭＳ（ショートメッセージサービス（Ｓｈｏｒｔ  Ｍｅｓｓａｇｅ  Ｓｅｒｖｉｃｅ））メッセージをサービスセンタに通信する様式に関する。より具体的には、本発明は、アクセスベアラＩＰ（インターネットプロトコル）を介してサービスセンタへのルーティングを可能とする様式で対処された、カプセル化されたＳＭＳメッセージを含むＳＩＰ（セッションインターフェースプロトコル（Ｓｅｓｓｉｏｎ  Ｉｎｔｅｒｆａｃｅ  Ｐｒｏｔｏｃｏｌ））リクエストを形成し、かつ通信する装置および関連する方法に関する。
【０００２】
ＳＭＳメッセージ伝達サービスは、上記メッセージが移送されるＩＰネットワークのタイプを問わずに提供される。上記ＳＩＰリクエストは、ジェネリックＩＰネットワークとショートメッセージサービスセンタとの間のＩＷＵ（網間接続装置（Ｉｎｔｅｒｗｏｒｋｉｎｇ  Ｕｎｉｔ））を形成するＩＰ−ＳＭ−ＧＷ（インターネットプロトコルショートメッセージゲートウェイ（Ｉｎｔｅｒｎｅｔ  Ｐｒｏｔｏｃｏｌ−Ｓｈｏｒｔ  Ｍｅｓｓａｇｅ−Ｇａｔｅｗａｙ））にルーティングされる。あるいは、上記ＳＩＰリクエストは、ＩＰ−ＳＭ−ＧＷが必要とされない場合には、上記ショートメッセージサービスセンタに直接にルーティングされる。
【背景技術】
【０００３】
通信技術における進歩は、通信終了点（ｅｎｄｐｏｉｎｔ）の間の情報を通信するために多種多様な通信サービスを提供する通信システムの開発および展開のための基礎を提供した。上記進歩は、通信の多数の分野に影響するが、進歩の１つの重要な分野は、デジタル通信の分野である。デジタル通信技術の使用は、種々の進歩を提供する。そして、結果として、通信システムは、一層展開され、既存のシステムは、デジタル技術を利用するように変わってきた。
【０００４】
電話通信技術、有線通信システムおよびモバイル通信システムの両方において、回路交換技術からパケット交換技術への通信の継続的な進化があった。そして、特に、上記パケット交換技術は、代表的に、ＩＰベース（インターネットプロトコルベース（Ｉｎｔｅｒｎｅｔ  Ｐｒｏｔｏｃｏｌ−ｂａｓｅｄ））のプロトコルを利用する。例えば、ＳＩＰ（セッションインターフェースプロトコル（Ｓｅｓｓｉｏｎ  Ｉｎｔｅｒｆａｃｅ  Ｐｒｏｔｏｃｏｌ））およびＶｏＩＰ（インターネットプロトコルに対する音声（Ｖｏｉｃｅ  ｏｖｅｒ  Ｉｎｔｅｒｎｅｔ  Ｐｒｏｔｏｃｏｌ））を使用して提供される音声サービスが、一層一般的である。メッセージ送達サービスはまた、ＩＰベースプロトコルを使用して一般に実行される。例えば、ＳＩＰベースメッセージは、ＩＰネットワークを介して通信終了点を形成するピア間で通信される。
【０００５】
ＳＭＳ（ショートメッセージサービス（Ｓｈｏｒｔ  Ｍｅｓｓａｇｅ  Ｓｅｒｖｉｃｅ））は、別の例示的なメッセージ送達サービスである。ＳＭＳは、最初、ＧＳＭ（モバイル通信の地球的規模のシステム（Ｇｌｏｂａｌ  Ｓｙｓｔｅｍ  ｆｏｒ  Ｍｏｂｉｌｅ  ｃｏｍｍｕｎｉｃａｔｉｏｎ））通信システム、回路交換技術を利用する通信システムと関連して使用するために開発された。ＧＰＲＳ（汎用パケットラジオサービス（Ｇｅｎｅｒａｌ  Ｐａｃｋｅｔ  Ｒａｄｉｏ  Ｓｅｒｖｉｃｅ））、ＧＳＭのためのパケット交換技術は、比較的最近に開発された。そして、ＧＳＭ／ＧＰＲＳ通信システムにおいて提供される上記パケット交換ＧＰＲＳ構造によってＳＭＳメッセージの通信をサポートするための配信がなされた。
【０００６】
パケット交換の、ＧＰＲＳベースのサービスとして提供される場合にさえ、ＳＭＳメッセージ送達は、ＧＳＭ／ＧＰＲＳネットワークに基本的に接続され続ける。すなわち、上記ショートメッセージサービスおよびそれに従うメッセージの通信は、従来、ＧＳＭ／ＧＰＲＳネットワークの使用を必要とする。そこで、ＳＭＳメッセージの通信に付随して、ＧＳＭ／ＧＰＲＳの利用可能性およびＧＳＭ／ＧＰＲＳへのアクセスが必要とされる。現在、ＳＭＳメッセージ送達は、アクセス独立性ＩＰベアラに基づかない。
【０００７】
パケット交換ベースシステム、特にＩＰベースシステムへの通信の継続的な発展に伴って、完全かつ最終的にＩＰベースネットワークへ発展する期待をもって、回路交換ネットワークとパケット交換ネットワークの間で相互動作することに多くの注目が集められてきた。通信システムおよびそのネットワークが全ＩＰベースネットワークに向かって進化するにつれて、異なる型のネットワークの間で相互動作する通信を提供するメカニズムが必要とされる。必要とされるメカニズムのうちには、ＩＰベアラ上でＳＭＳメッセージ送達を提供するメカニズムがある。
【０００８】
ＳＭＳメッセージ送達と関連する本背景情報を考慮して、本発明の重要な改良が展開される。
【発明の概要】
【課題を解決するための手段】
【０００９】
本発明は、さらに以下の手段を提供する。
（項目１）
ショートメッセージサービス能力がある通信デバイスのための装置であって、該装置は、少なくともショートメッセージサービスセンタを含むネットワークエンティティを有するネットワークを介してメッセージの通信を促進し、該装置は、
該ネットワークエンティティのうちの選択されたネットワークエンティティを識別する識別子を格納するように構成された格納エレメントと、
セッションインターフェースプロトコル、ＳＩＰ、該格納エレメントに格納された識別子を受信するように適合されたリクエストジェネレータと
を備え、該ＳＩＰリクエストジェネレータは、該識別子をもって対処されたＳＩＰリクエストを生成するように構成されており、該ＳＩＰリクエストは、該ＳＩＰリクエストのジェネレータ、およびその中にカプセル化されたショートメッセージサービスコンテンツを有しており、該ＳＩＰリクエストは、一旦アドレスされると、その中のものを上記ショートメッセージサービスセンタにルーティングすることを可能とする、装置。
（項目２）
前記格納エレメントに格納された識別子は、セッションインターフェースプロトコルユニフォームリソース識別子（ＳＩＰ  ＵＲＩ）を備える、項目１に記載の装置。
（項目３）
前記格納エレメントに格納された識別子は、電話ユニフォームリソース識別子（ＴＥＬ
ＵＲＩ）を備える、項目１に記載の装置。
（項目４）
前記格納エレメントに格納された識別子は、電話ユニフォームリソースロケータ（ＴＥＬ  ＵＲＬ）を備える、項目１に記載の装置。
（項目５）
前記ネットワークのネットワークエンティティは、相互動作エンティティをさらに備え、前記格納エレメントに格納された識別子は、該相互動作エンティティを識別する、項目１に記載の装置。
（項目６）
前記格納エレメントに格納された識別子は、前記ショートメッセージサービスセンタを識別する、項目１に記載の装置。
（項目７）
前記格納エレメントに格納された識別子は、ＩＰアドレス、インターネットプロトコルアドレスに分解可能である、項目１に記載の装置。
（項目８）
前記ＳＩＰリクエストジェネレータによって生成されたＳＩＰリクエストは、ＳＩＰ基本要素を備える、項目１に記載の装置。
（項目９）
前記ＳＩＰリクエストジェネレータによって生成されたＳＩＰリクエストを形成するＳＩＰ基本要素は、ＳＩＰメッセージ方法を備える、項目８に記載の装置。
（項目１０）
前記ショートメッセージコンテンツは、前記ショートメッセージサービス方法においてカプセル化される、項目９に記載の装置。
（項目１１）
前記通信デバイスは、前記格納エレメントが具体化されるカードメンバーを有するモバイルステーションを備える、項目１に記載の装置。
（項目１２）
前記選択されたネットワークを識別する識別子を用いて前記格納エレメントを配信するように構成されたプロビジョナをさらに備える、項目１に記載の装置。
（項目１３）
前記発信器は、動的ホスト構成プロトコル（ＤＨＣＰ）メッセージ検出器を備え、該ＤＨＣＰメッセージ検出器は、前記識別子を含むＤＨＣＰメッセージを検出し、該ＤＨＣＰメッセージに含まれる識別子を用いて前記格納エレメントを配信するように構成されている、項目１２に記載の装置。
（項目１４）
前記発信器は、同調マークアップ言語（Ｓｙｎｃｈ  ＭＬ）メッセージ検出器を備え、該Ｓｙｎｃｈ  ＭＬメッセージ検出器は、前記識別子を含むＳｙｎｃｈ  ＭＬメッセージを検出し、該Ｓｙｎｃｈ  ＭＬメッセージに含まれる識別子を用いて前記格納エレメントを配信するように構成されている、項目１２に記載の装置。
（項目１５）
前記発信器は、前記識別子を含む構成ファイルを受信し、該構成ファイルに含まれる識別子を用いて前記格納エレメントを配信するように適合される、項目１２に記載の装置。（項目１６）
前記プロビジョナが受信するために結合される構成ファイルは、前記ＳＩＰ  ｃｏｎｆｉｇフレームワークを使用してそこにダウンロードされる、項目１５に記載の装置。
（項目１７）
前記プロビジョナが前記識別子を用いて配信する前記格納エレメントは、管理オブジェクトを備える、項目１２に記載の装置。
（項目１８）
ショートメッセージ能力がある通信デバイスにおいて、前記通信デバイスで発信されたメッセージの通信を促進するための方法であって、該方法は、
選択されたネットワークエンティティを識別する識別子を格納する動作と、
該格納された識別子を用いて対処されたセッションインターフェースプロトコル（ＳＩＰ）リクエストを生成する動作と、
該ＳＩＰリクエストにショートメッセージサービスコンテンツをカプセル化する動作と、
該格納された識別子を用いて対処された該ＳＩＰリクエストを送信する動作と
を含む、方法。
（項目１９）
前記格納された識別子を用いて対処された前記ＳＩＰリクエストを送信することは、該ＳＩＰリクエストを前記選択されたネットワークエンティティにルーティングすることを含む、項目１８に記載の方法。
（項目２０）
前記識別子を格納することは、前記通信デバイスのメモリモジュールに該識別子を格納することを含む、項目１８に記載の方法。
（項目２１）
前記識別子を格納することは、前記通信デバイスの配信中に識別子を格納することを含む、項目１８に記載の方法。
（項目２２）
ショートメッセージサービスセンタを備えるネットワークエンティティを有する通信ネットワークにおいて、ショートメッセージ能力がある通信デバイスで発信されたメッセージの通信を促進するための方法であって、該方法は、
該ネットワークエンティティの選択されたネットワークエンティティを識別する識別子を格納する動作と、
該格納された識別子を用いて対処されたセッションインターフェースプロトコル（ＳＩＰ）リクエストを生成する動作と、
該ＳＩＰリクエストにショートメッセージサービスコンテンツをカプセル化する動作と、
該格納された識別子を用いて対処された該ＳＩＰリクエストが該ショートメッセージサービスセンタにルーティングされることを可能にする動作と
を含む、方法。
（項目２３）
前記通信デバイスから前記選択されたネットワークエンティティへ前記ＳＩＰリクエストを通信する動作をさらに含む、項目２２に記載の方法。
（項目２４）
前記識別子を格納することは、前記通信デバイスのメモリモジュールに該識別子を格納することを含む、項目２２に記載の方法。
（項目２５）
前記識別子を格納することは、前記通信デバイスの配信中に識別子を格納することを含む、項目２２に記載の方法。
（項目２６）
ショートメッセージ能力がある通信デバイスのための装置であって、前記ショートメッセージサービスセンタが、通信接続するように位置決めされるアクセス独立性ネットワークを介してショートメッセージサービスメッセージをショートメッセージサービスセンタに送ることを可能とするショートメッセージサービス能力がある通信デバイスのための装置であり、該装置は、
ショートメッセージ中にカプセル化されたショートメッセージサービスコンテンツを有するＳＩＰリクエストを生成し、該ショートメッセージサービスセンタに該アクセス独立性ネットワークを介して該ルーティングをすることが可能であるＳＩＰリクエストを送信するように構成されたＳＩＰリクエストジェネレータ、
を含む、装置。
【００１０】
（摘要）
ショートメッセージサービスセンタにショートメッセージサービスコンテンツを通信するための装置および関連する方法。３ＧＰＰ  ＴＳ  ２３．２０４で定義されるＩＰ−ＳＭ−ＧＷ（Ｉｎｔｅｒｎｅｔ  Ｐｒｏｔｏｃｏｌ−Ｓｈｏｒｔ  Ｍｅｓｓａｇｅ−Ｇａｔｅｗａｙ）のアドレスが、ユーザ機器に提供され、カプセル化されたＳＭＳコンテンツを含むＳＩＰリクエストに対処するために使用される。上記アドレスは、ＳＩＭカード、ＵＩＣＣ，または管理オブジェクトなどの格納エレメントでモバイルステーションに格納される。ＳＩＰリクエストジェネレータは、上記格納エレメントにアクセスし、上記アドレスを上記ＳＩＰリクエストのアドレスとして使用する。上記ＳＩＰリクエストはまた、その中にカプセル化されたＳＭＳコンテンツを含む。
【図面の簡単な説明】
【００１１】
【図１】図１は、本発明の実施形態が動作可能である例示的なネットワークの構造の機能的なブロック図を示す。
【図２】図２は、図１で示される構造のネットワークにおけるＳＭＳメッセージ送達に従って定義され、使用されるプロトコル層の表示を示す。
【図３】図３は、本発明の実施形態に従ってＳＭＳメッセージ送達を提供する通信システムの機能的なブロック図を示す。
【図４】図４は、図３に示されるものに類似するが、全ＩＰネットワークの機能的なブロック図を示す。
【図５】図５は、本発明の実施形態の動作の方法をリストする方法流れ図を示す。
【発明を実施するための形態】
【００１２】
（詳細な説明）
したがって、本発明は、通信ネットワークによってサービスセンタにＳＭＳ（ショートメッセージサービス（Ｓｈｏｒｔ  Ｍｅｓｓａｇｅ  Ｓｅｒｖｉｃｅ））メッセージを通信する装置および関連する方法を有利に提供する。
【００１３】
本発明の一実施形態の動作を通して、アクセスベアラＩＰによってサービスセンタへのルーティングを可能とする様式で宛てられたカプセル化されたＳＭＳメッセージを含む、ＳＩＰリクエストに対処する様式が提供される。
【００１４】
本発明の一局面において、ＳＭＳメッセージサービスは、上記メッセージがルーティングされるＩＰアクセスネットワークを問わず提供される。上記ＳＩＰリクエストは、ジェネリックＩＰネットワーク間のＩＷＵ（網間接続装置）を形成するＩＰ−ＳＭ−ＧＷ（インターネットプロトコルショートメッセージゲートウェイ）へとルーティングされ、次いで、ショートメッセージサービスセンタにルーティングされる。代替的に、上記ＳＩＰリクエストは、上記ネットワークが上記ＩＰ−ＳＭ−ＧＷなどの網間接続装置を含む必要がない場合に、上記ショートメッセージサービスセンタへ直接にルーティングされる。
【００１５】
本発明の別の実施形態において、格納エレメントが、上記ＩＰ−ＳＭ−ＧＷを識別するアドレスが格納されるモバイルステーションなどの発信通信デバイスに提供される。上記格納エレメントは、上記通信デバイスがＳＭＳコンテンツを送るときに上記アドレスを検索するためにアクセスされる。上記格納エレメントから検索されたアドレスは、形成され、例えば、カプセルに、ＳＭＳコンテンツを含むＳＩＰリクエストに対処するために使用される。上記格納エレメントに格納されたアドレスは、例えば、ＩＰ−ＳＭ−ＧＷまたは他の網間接続装置のＩＰアドレスを形成する。あるいは、上記アドレスは、上記ショートメッセージサービスセンタがＩＰアドレスにより識別可能であり、上記ＳＩＰリクエストが直接的にそのＩＰアドレスにルーティングされることが可能である場合には、ショートメッセージサービスセンタを識別する。上記網間接続装置に伝達される場合に、この網間接続装置は、上記ＳＩＰリクエストのコンテンツを上記ショートメッセージサービスセンタに転送するように動作する。
【００１６】
本発明の別の局面において、上記格納エレメントは、ＳＩＭ（加入者識別モジュール（Ｓｕｂｓｃｒｉｂｅｒ  Ｉｄｅｎｔｉｔｙ  Ｍｏｄｕｌｅ））カードまたはＵＩＣＣ（汎用集積回路カード（Ｕｎｉｖｅｒｓａｌ  Ｉｎｔｅｇｒａｔｅｄ  Ｃｉｒｃｕｉｔ  Ｃａｒｄ）において具体化される。上記ＳＩＭカードまたはＵＩＣＣに格納されたアドレスは、例えば、上記通信デバイスを形成するモバイルステーションの最初の配信の間、または最初の配信に引き続いてのモバイルステーション登録中、またはそれ以外のモバイルステーションの動作中などに、そこに格納される。
【００１７】
本発明の別の局面において、ＩＭ−ＳＭ−ＧＷまたはＳＭＳＣの識別子を上記通信デバイスに配信する配信メカニズムが提供される。例えば、上記配信メカニズムは、（放送された、またはそれ以外の方法でそこに送られた）ＯＭＡ様式信号を検出する（ＩＭ−ＳＭ−ＧＷのアドレスを識別する）ＯＭＡ（Ｏｐｅｎ  Ｍｏｂｉｌｅ  Ａｌｌｉａｎｃｅ）デバイス管理プロトコルに従って動作可能である検出器から形成される。管理オブジェクトにおけるエントリは、例えば、そこに送られたアドレスを含むように、上記通信デバイスを形成するモバイルステーションにおいて利用可能とされる。代替的に、上記アドレスを含めるために使用される管理オブジェクトは、ＩＭＳ  ＭＯまたはＳＭＳのための接続性管理オブジェクトである。代替的に、上記配信メカニズムは、ＣＤＭＡ（符号分割多重アクセス（Ｃｏｄｅ  Ｄｉｖｉｓｉｏｎ  Ｍｕｌｔｉｐｌｅ  Ａｃｃｅｓｓ））ＯＴＡ（無線による（Ｏｖｅｒ  Ｔｈｅ  Ａｉｒ））配信を利用し、そこに送られたＣＤＭＡ  ＯＴＡ配信信号を検出することが可能なように構成される。あるいは、代替的に、回路交換ベアラによって通信されたＳＭＳ信号伝達は、適切なアドレスを提供するために使用される。代替的に、適切な配信メカニズムが使用可能である。そこで、モバイルステーションが、ドッキングポートに接続され、有線データネットワークに接続される場合などに、有線接続が利用可能でれば、上記アドレスは、上記有線接続によって上記モバイルステーションに提供されることが可能である。
【００１８】
本発明の別の局面において、ＩＭ−ＳＭ−ＧＷまたはＳＭＳＣのアドレスを用いて対処され、カプセル化されたＳＭＳコンテンツを含むＳＩＰリクエストが、ＳＩＰメッセージ方法、または上記ＳＩＰプロトコルの基本となる他のプロトコルを形成する。上記ＳＩＰメッセージ方法は、ＭＩＭＥ型コンテンツがＳＩＰ能力があるデバイス間で交換されることを可能とする。
【００１９】
本発明の別の局面において、ＩＰ−ＳＭ−ＧＷまたはＳＭＳＣを識別するアドレスは、ＳＩＰ  ＵＲＩ、ＴＥＬ  ＵＲＩ、またはＴＥＬ  ＵＲＬを形成する。上記ＵＲＩまたはＵＲＬの値は、ＳＩＰ／ＩＰとＳＭＳＣに対するＳＭＳ信号伝達とを相互動作させるために使用されたゲートウェイのＩＰアドレス、または直接にＳＭＳＣのＩＰアドレスに分解することが可能である。
【００２０】
それにより、ＳＭＳメッセージは、ジェネリックなＩＰネットワークによって移送可能であり、上記メッセージが発信される通信デバイスおよび上記ＳＭＳメッセージが伝達される通信終了点を形成する宛先ステーションにＳＭＳメッセージ伝達機能を提供するＳＭＳＣに伝達可能である。
【００２１】
それゆえに、上記局面および他の局面において、装置および関連する方法が、ショートメッセージサービス能力がある通信デバイスのために提供される。少なくともショートメッセージサービスセンタを含むネットワーク要素を有するネットワークエンティティによるメッセージの通信が促進される。格納エレメントは、上記ネットワーク要素の選択されたネットワーク要素を識別する識別子を格納するように構成される。セッションインターフェースプロトコルリクエストジェネレータは、上記格納エレメントに格納された識別子を受け取るように適合される。上記セッションインターフェースプロトコルリクエストジェネレータは、上記識別子を用いて対処されるＳＩＰリクエストを生成するように構成され、このリクエストは、その中にカプセル化されたショートメッセージサービスコンテンツを有する。一度対処されると、上記リクエストは、その中のものを上記ショートメッセージサービスセンタにルーティングすることが可能になる。
【００２２】
それゆえに、図１を参照すると、ＳＩＰ／ＩＰ（Ｓｅｓｓｉｏｎ  Ｉｎｔｅｒｆａｃｅ
Ｐｒｏｔｏｃｏｌ／Ｉｎｔｅｒｎｅｔ  Ｐｒｏｔｏｃｏｌ）に対するＳＭＳ（Ｓｈｏｒｔ  Ｍｅｓｓａｇｅ  Ｓｅｒｖｉｃｅ）信号伝達を提供する、一般に１０で示される通信システムの構造が図示される。ユーザ機器（ＵＥ）１２は、ＳＭＳ能力があるモバイルステーションまたは他の通信デバイスを示す。以下の説明は、ＳＭＳコンテンツがモバイルステーションから形成されたＵＥで発信される通信システムの例示的な動作を説明するが、このような説明は、単に例示的なものである。上記ユーザ機器はまた、種々の他の型の通信デバイスのいずれかを示す。
【００２３】
上記ユーザ機器は、Ｇｍインターフェース１６によってＩＭＳコア１４に接続される。そこで、次に、上記ＩＭＳコアは、ＩＳＣインターフェース２２によってＩＰ−ＳＭ−ＧＷ１８に結合される。上記ＩＰ−ＳＭ−ＧＷ１８は、ＩＰネットワークコア（ここでは、ＩＭＳコア１４）とＧＳＭ／ＧＰＲＳネットワークとの間に相互作用機能を提供する網間接続装置（ＩＷＵ）を形成する。
【００２４】
ここに、上記ＩＰ−ＳＭ−ＧＷ１８は、Ｅ／Ｇｄインターフェース２６によってＧＭＳＣ／ＳＭＳ／ＩＷＭＳＣ（ゲートウェイモバイル交換センタ／ショートメッセージサービス／相互作用モバイル交換センタ（Ｇａｔｅｗａｙ  Ｍｏｂｉｌｅ  Ｓｗｉｔｃｈｉｎｇ
Ｃｅｎｔｅｒ／Ｓｈｏｒｔ  Ｍｅｓｓａｇｅ  Ｓｅｒｖｉｃｅ／Ｉｎｔｅｒｗｏｒｋｉｎｇ  Ｍｏｂｉｌｅ  Ｓｗｉｔｃｈｉｎｇ  Ｃｅｎｔｅｒ））２４に結合される。そこで、上記エンティティ２４は、ＳＭＳメッセージが伝達可能である通信終了点を形成するショートメッセージエンティティ（ＳＭＥ）３２に接続可能である従来の様式でＳＭＳＣ２８に接続される。
【００２５】
上記通信システムの構造は、さらにＲｏインターフェースによって上記ゲートウェイ１８に結合されたＯＣＳ３４、Ｒｆゲートウェイによって上記ゲートウェイ１８と結合されたＣＧＦ／ＣＤＦ３６、および各々、Ｃｘインターフェース、ＳｈインターフェースおよびＣ’インターフェースによってエンティティ１４、エンティティ１８およびエンティティ２４に結合されたＨＳＳ３８を含むことが図示される。
【００２６】
上記図に示された構造は、技術仕様書、ＴＳ２３．２０４において３ＧＰＰ（第三世代パートナーシッププロジェクト）によって特定された構造を示す。上記構造は、ＩＰに対するＳＭＳを提供した構造を示す。
【００２７】
上記ＩＰ−ＳＭ−ＧＷ１８を形成するエンティティは、上記ユーザ機器１２と、ＩＰベースエンティティと上記ショートメッセージサービスセンタ（ＳＭＳＣ）２８との間のショートメッセージの伝達のためのプロトコル相互作用に関する機能を含む種々の機能を実行する。例えば、このような機能は、ＳＳ７（信号伝達システム７）に対する確立されたＭＡＰ（モバイルアプリケーション部（Ｍｏｂｉｌｅ  Ａｐｐｌｉｃａｔｉｏｎ  Ｐａｒｔ））プロトコルを使用した上記ＧＭＳＣ２４への接続を含む。上記ゲートウェイ１８は、上記ＥインターフェースまたはＧｄインターフェースを使用して、上記ＧＭＳＣ２４にモバイル交換センタまたはサービングゲートウェイサービスノード（ｓｅｒｖｉｎｇ  ｇａｔｅｗａｙ  ｓｅｒｖｉｃｅ  ｎｏｄｅ（ＳＧＳＮ））のように現れることによって起動される。ゲートウェイ１８によって提供された付加的な機能は、ＳＳ７に対する確立されたＭＡＰプロトコルを使用しての上記ＳＭＳ−ＩＷＭＳＣへの接続を提供し、上記ゲートウェイに、上記ＥインターフェースまたはＧｄインターフェースを使用してモバイル交換センタまたはサービングゲートウェイサービスノードとして上記ＳＭＳ−ＩＷＭＳＣを表示させる。上記ゲートウェイはさらに、上記ＳＭＳメッセージの様式および機能を維持しながら、移送手段としてＩＭＳメッセージ伝達を使用して上記ユーザ機器と通信するように機能する。さらに、上記ゲートウェイは、ＭＳＩＳＤＮ（モバイルステーション国際加入者電話番号（Ｍｏｂｉｌｅ  Ｓｔａｔｉｏｎ  Ｉｎｔｅｒｎａｔｉｏｎａｌ  Ｓｕｂｓｃｒｉｂｅｒ  Ｄｉｒｅｃｔｏｒｙ  Ｎｕｍｂｅｒ））と上記ユーザ機器のＩＰ（インターネットプロトコル）アドレスとの間の関係の知識を獲得するように機能する。そこで、上記ゲートウェイは、上記ＩＭＳ（ＩＰマルチメディアサブシステム）コアにアプリケーションサーバとして振舞うように機能する。
【００２８】
図２は、図１に示された通信システム１０の種々のエンティティを描写する。すなわち、通信終了点１２および３２（上記ユーザ機器１２は、ここではモバイルステーションによって示される）は、上記ＩＰ−ＳＭ−ＧＷ１８、上記ＳＭＳ−ＧＭＳＣ／ＳＭＳ−ＩＷＭＳＣおよび上記ＳＭＳＣ２８から形成される中間ノードとともに示される。ショートメッセージアプリケーション層（ＳＭ−ＡＬ）５２、ショートメッセージ転送層（ＳＭ−ＴＬ）５４、ショートメッセージリレイ層（ＳＭ−ＲＬ）５６およびショートメッセージ低層（ＳＭ−ＬＬ）５８は、種々のエンティティの層を備える。
【００２９】
上記ユーザ機器１２および上記サービスセンタ２８を形成するモバイルステーション間に伸延する層が示される。従来の回路交換通信システムの特定の回路交換部分は、ＳＩＰ／ＩＰコアネットワーク（ここでは、上記ＩＭＳコア１４）および上記ＩＰ−ＳＭ−ＧＷ１８をもって置換される。上記リレイ層、転送層、およびアプリケーション層においてカプセル化されたＳＭＳメッセージは、上記ゲートウェイ１８へのユーザ機器によって送られる。そこで、上記ゲートウェイ１８は、上記ショートメッセージサービスセンタ２８と上記ゲートウェイＭＳＣまたは上記ＳＧＳＮとの間でＳＭＳメッセージを伝達するために使用される標準プロトコルを使用して相互作用点として振舞う。上記通信システムが、全ＩＰネットワークとして実行される場合に、ＩＰ−ＳＭ−ＧＷは、ＳＩＰ／ＩＰコアインターネットと置換され、上記ＳＩＰ／ＩＰコアインターネットは、ＳＩＰプロトコルが、上記ユーザ機器と、ピアデバイスとして振舞う上記ＳＭＥ３２および上記ＳＭＳＣ２８との間で直接的に使用されることを可能とする。
【００３０】
上記ＳＩＰプロトコルの基本であるプロトコル、上記ＳＩＰメッセージ方法は、従来のＳＩＰプロトコルを使用するＭＩＭＥ型コンテンツの通信および交換を提供する。ＳＩＰネットワークで使用される場合に、ＳＩＰメッセージ方法のメッセージは、ＳＩＰ／ＩＰコアネットワークによって終了点ユーザ間の二地点間様式で通信される。そこで、メッセージは、上記メッセージがＳＩＰ  ＵＲＩまたはＴＥＬ  ＵＲＩから形成される上記終了点ユーザのユーザアイデンティティに宛てられる。しかしながら、ショートメッセージサービスメッセージ伝達は、蓄積交換型のスキームであるので、終了通信点間のＳＭＳメッセージの通信にとって基本的であるＳＩＰメッセージ方法プロトコルの単なる使用は、使用され得ない；むしろ、メッセージは、引き続いての検索および伝達のためにこのメッセージが格納されることを可能にするショートメッセージサービスセンタにルーティングされねばならない。
【００３１】
本発明の一実施形態の動作に従うと、上記ＩＭＳコア１４によって示されたものなど、ジェネリックＩＰネットワークによって上記メッセージを転送することを可能にすると同時に、ＳＭＳメッセージ伝達機能を提供する様式が提供される。
【００３２】
図３は、この場合もやはり、ユーザ機器１２、ＩＭＳコア１４、ＩＰ−ＳＭ−ＧＷ１８、ならびにショートメッセージエンティティ３２と通信接続するように位置決め可能であるショートメッセージサービスセンタ２８を含むネットワーク部分を含むように描写されている。上記ショートメッセージエンティティ３２は、モバイルステーションまたは有線通信デバイスなどの任意の型の通信デバイスまたはその一部を形成する。
【００３３】
上記ユーザ機器１２、モバイルステーションは、ＳＭＥ（ショートメッセージエンティティ）機能６４、およびＳＩＭカードまたはＵＩＣＣ６８に配置された格納エレメント６６を含む。カードホルダ（別個に図示されない）の電気的接触は、上記格納エレメント６６とＳＩＰリクエストジェネレータ７２とを電気的に接続させる。
【００３４】
ここにモバイルステーションを形成するユーザ機器はまた、上記ＳＭＥが機能的に接続されるトランシーバ回路網７４を含む。上記トランシーバ回路網は、上記通信システムの動作中に生成された信号を送信するための送信部および受信部を従来の様式で含み、ＳＩＰリクエスト（上記ジェネレータ７２によって生成され、上記トランシーバ回路網の送信部によって通信される）のアップリンク通信を含む。
【００３５】
そこで、上記ユーザ機器はまた、ユーザインターフェース７６を含み、ユーザは、上記インターフェースにより、ＳＭＳメッセージのＳＭＳコンテンツを形成する。上記ジェネレータ７２によって生成され、上記トランシーバ回路網７４の送信部によって送信されるＳＩＰリクエストは、７８に示される。上記リクエストは、上記格納エレメント６６に格納され、そこから検索された値に対応する値のアドレス８２を含む。そこで、上記リクエストはまた、上記リクエストにカプセル化されたＳＭＳコンテンツ８４を含む。
【００３６】
図３は、本発明の代替的な実施形態にしたがって用いられるエンティティをさらに含み、上記代替的な実施形態において、上記ＩＰ−ＳＭ−ＧＷを識別するアドレスは、例えば、ラジオ放送インターフェースによって、あるいは上記ユーザ機器とのテザー接続または他の有線接続によって、上記ユーザ機器に配信される。ここに、プロビジョナ８８は、上記配信情報のユーザ機器への伝達を検出するように動作する。上記プロビジョナによって検出されると、上記受信アドレスは、９２に示される管理オブジェクトとして格納される。上記ユーザ機器のユーザがＳＭＳメッセージを送ることを選択するとき、上記ＳＭＳメッセージのコンテンツは、上記ユーザインターフェースによって入力され、または他の方法で従来の様式によって提供される。そこで、上記ＳＩＰリクエストジェネレータが、上記配信されたアドレスを検索し、上記検索されたアドレスを用いて上記ＳＩＰリクエストに対処する。
【００３７】
図４は、この場合もやはり、上記ネットワークが個別のＩＰ−ＳＭ−ＧＷに対する必要を排除して、全ＩＰネットワークを形成する通信システム１０を描写する。上記ユーザ機器１２は、図３で図示された実行に関して示されたものと同一である。上記配置において、代わりに、上記格納エレメント６６または上記オブジェクト９２に格納されたアドレスは、上記ＳＭＳＣ２８のアドレスを備える。
【００３８】
動作中、上記リクエストジェネレータは、図３に図示された配置においてＩＭ−ＳＭ−ＧＷ１８を示すＳＩＰ  ＵＲＩまたはＴＥＬ  ＵＲＩ公共サービスアイデンティティをもってカプセル化されたＳＭＳメッセージを含む、ＳＩＰメッセージ方法に対処する。図４に示された配備において実行される場合に、検索され、使用される上記ＳＩＰ  ＵＲＩまたはＴＥＬ  ＵＲＩ公共サービスアイデンティティは、上記ＳＭＳＣ２８のものである。
【００３９】
上記適切なアドレスは、上記ユーザ機器において構成されるか、またはそこに配信される。一実施形態において、上記スマートカード、ＩＳＩＭ、またはＵＩＣＣは、上記ユーザ機器によって参照され得る格納エレメントの基本ファイル（ＥＦ）または他の格納エレメントの格納場所に格納される。代替の実施形態において、ＯＭＡ（オープンモバイルアライアンス（Ｏｐｅｎ  Ｍｏｂｉｌｅ  Ａｌｌｉａｎｃｅ））デバイス管理プロトコルが、上記ＩＭ−ＳＭ−ＧＷのアドレスのユーザ機器に報告するために使用される。上記プロビジョナ８８は、本実施形態において利用され、管理オブジェクト（ここでは上記オブジェクト９２）におけるエントリは、上記ＩＭ−ＳＭ−ＧＷのアドレスを含めるために上記ユーザ機器において利用可能である。一実施形態において、上記配信メカニズムは、ＳＩＰ  ＣＯＮＦＩＧフレームワークなどのクライアント配信を使用した構成ファイルのダウンロードによる。そこで、上記管理オブジェクトは、種々に、ＳＭＳ管理オブジェクト、ＷＬＡＮ管理オブジェクト、またはＩＭＳ管理オブジェクトを備える。すなわち、適切な管理オブジェクトは、上記ＩＭ−ＳＭ−ＧＷのアドレスを含み、種々の実施形態において、ＩＭＳ  ＭＯ、ＳＭＳのための接続性管理オブジェクト、または他のオブジェクトを形成する。上記アドレスが上記ユーザ機器に配信される配信メカニズムは、代替的に、例えば、ＣＤＭＡ無線配信、回路交換ベアラを介してのＳＭＳの使用、およびデータネットワークへの無線配信または有線配信（例えば、テザー接続を介しての上記アドレスの配信）の適切な方法を形成する。例えば、一実施形態において、ＢｌａｃｋＢｅｒｒｙＴＭデスクトップマネージャーは、対応して構成されたユーザ機器デバイスへの配信メカニズムを提供する。
【００４０】
図５は、本発明の一実施形態の動作方法を示す、一般に１１２において示される方法流れ図を描写する。上記方法は、少なくともショートメッセージサービスセンタを備えるネットワークエンティティを有するネットワークを介してショートメッセージ能力がある通信デバイスにおいて発信されたメッセージの通信を促進する。
【００４１】
最初に、上記ブロック１１４によって示されるように、上記ネットワークエンティティの選択されたネットワークエンティティを識別する識別子が格納される。次いで、上記ブロック１１６によって提示されるように、上記識別子をもって対処されるＳＩＰリクエストが生成される。上記ＳＩＰリクエストは、そこにカプセル化されたショートメッセージサービスコンテンツを含む。一度、上記識別子をもって対処されると、上記ＳＩＰリクエストは、ショートメッセージサービスコンテンツに内包されるものを上記ショートメッセージサービスセンタにルーティングすることを可能とする。
【００４２】
そこで、一度、上記ＳＩＰリクエストが形成されると、上記ブロック１１８によって示されるように、上記リクエストは、上記ＳＩＰリクエストが対処されるネットワークエンティティへと送られる。
【００４３】
このようにして、本発明の一実施形態の動作を通して、カプセル化されたＳＭＳメッセージは、ジェネリックＩＰベアラを介してショートメッセージサービスセンタにルーティング可能である。
【００４４】
上述説明は、本発明を実施するための好ましい実施例であり、本発明の範囲は、本記載によって必ずしも限定されるべきではない。本発明の範囲は、以下の請求の範囲によって限定される。
【符号の説明】
【００４５】
１２  ユーザ機器
１４  ＩＭＳコア
１６  Ｇｍインターフェース
１８  ＩＰ−ＳＭ−ＧＷ
２２  ＩＳＣインターフェース
２４  ＧＭＳＣ／ＳＭＳ／ＩＷＭＳＣ
２８  ショートメッセージサービスセンタ（ＳＭＳＣ）
３２  ショートメッセージエンティティ（ＳＭＥ）
３４  ＯＣＳ
３６  ＣＧＦ／ＣＤＦ
３８  ＨＳＳ
５２  ショートメッセージアプリケーション層（ＳＭ−ＡＬ）
５４  ショートメッセージ転送層（ＳＭ−ＴＬ）
５６  ショートメッセージリレイ層（ＳＭ−ＲＬ）
５８  ショートメッセージ低層（ＳＭ−ＬＬ）
６４  ＳＭＥ（ショートメッセージエンティティ）機能
６６  格納エレメント
６８  ＵＩＣＣ
７２  ＳＩＰリクエストジェネレータ
７４  トランシーバ回路網
７６  ユーザインターフェース
７８  ＳＩＰリクエスト
８２  アドレス
８４  ＳＭＳコンテンツ
８８  プロビジョナ
９２  管理オブジェクト
【図１】
2011045090.tif 000003
【図２】
2011045090.tif 000004
【図３】
2011045090.tif 000005
【図４】
2011045090.tif 000006
【図５】
2011045090.tif 000007